(57)【要約】      （修正有）【課題】サイズ表示の作用のためでなく、位置を探して識別するために設けられ、さらにその色の違いにより、サイズ数字を明らかに表示し、使用者が速やかに探し出し識別でき、大幅にその実用性と進歩性が高められている規格サイズを識別できる工具の提供。【解決手段】金属工具表面に、多色印刷の方式で相互に異なる色の第１識別色帯及び第２識別色帯を印刷し、第１識別色帯の色変化でメートル制或いはインチ制の規格を区画し、並びに第１識別色帯を第２識別色帯位置より突出させ、更に第２識別色帯によりサイズ数字を表示し、これにより第１識別色帯中でメートル、インチ規格を判別し、並びに第２識別色帯と第１識別色帯の異なる色により、目的を達成する。【選択図】図４
0003104841.tif 000002
【実用新案登録請求の範囲】
【請求項１】
メートル制及びインチ制工具の金属表面に異なる色の第１識別色帯が印刷されてメートル制及びインチ制の規格の識別に供される規格サイズを識別できる工具において、該工具に別に識別ブロックが設けられ、該識別ブロックの位置内に第１識別色帯と異なる色の第２識別色帯が印刷され、且つ該第２識別色帯を具えた識別ブロック内にサイズ数字が表示され、第２識別色帯の第１識別色帯と異なる色により速やかに第２識別色帯がある識別ブロックの位置を探し出せ、更に識別ブロックの位置に表示されたサイズ数字により、速やかな識別を行なえることを特徴とする、規格サイズを識別できる工具。
【請求項２】
請求項１記載の規格サイズを識別できる工具において、識別ブロック内のサイズ数字が刻印方式で表示されたことを特徴とする、規格サイズを識別できる工具。
【請求項３】
請求項１記載の規格サイズを識別できる工具において、識別ブロック内のサイズ数字が第２識別色帯と異なる色により表示されたことを特徴とする、規格サイズを識別できる工具。
【請求項４】
請求項１記載の規格サイズを識別できる工具において、識別ブロック内のサイズ数字が透かしの方式で表示されたことを特徴とする、規格サイズを識別できる工具。
【請求項５】
メートル制及びインチ制工具の金属表面に識別ブロックが設けられ、識別ブロックの位置に異なる色の第１識別色帯が印刷され、メートル制及びインチ制の規格の識別に供される規格サイズを識別できる工具において、該工具の識別ブロックの位置内に第１識別色帯と異なる色の第２識別色帯によりサイズ数字が表示され、工具の色と異なる第１識別色帯の色により速やかに第１識別色帯がある識別ブロックの位置を探し出せ、更に識別ブロックの位置に表示されたサイズ数字により、速やかな識別を行なえることを特徴とする、規格サイズを識別できる工具。
【請求項６】
請求項５記載の規格サイズを識別できる工具において、識別ブロック内のサイズ数字が透かしの方式で金属工具自身の色を以て表示されることを特徴とする、規格サイズを識別できる工具。
【考案の詳細な説明】
【技術分野】
【０００１】
本考案は多色印刷技術を利用し、金属工具表面に二色以上の色帯を形成し、異なる色帯表示により速やかに必要な規格サイズの工具を識別できるようにした規格サイズを識別できる工具に関する。
【背景技術】
【０００２】
一般に工具の規格にはメートル制とインチ制の区分があり、さらにメートル制とインチ制の規格中で各種の異なるサイズに区分され、使用者の識別方式は、工具表面に刻印されたサイズ数字を検査する、というものであるが、このような識別方式は一々検査対比しなければならず、手間と時間がかかり、且つ金属表面の刻印のサイズ数字と金属自身の色が同じであるため、使用者が速やかに刻印数字の位置を探し出せず、識別しにくい。このような状況を改善するため、すでにある業者は色帯で識別する方式を発展させている。たとえば図１の特許文献１によると、メートル制とインチ制のスリーブ１０、１１の周囲の所定の高さにそれぞれ環形浅溝１０１、１１１が設けられて該環形浅溝１０１、１１１に環状色帯１０２、１１２が設置され、そのうちメートル制の各スリーブ１０の色帯１０２は同一色とされ、インチ制の各スリーブ１１の色帯１１は別の同一色とされ、明らかにインチ制とメートル制の規格を区別できるものとされ、また、各同一規格の色帯中にさらに異なる色帯幅の変化が設けられて異なるサイズを識別できるものとされている。この方式は異なる色帯１０２、１１２の色によりファーストステップのメートル制とインチ制の区別を行えるため確実に規格識別の速度を高めることができるが、色帯の幅によりセカンドステップの識別を行うのは、実務上実行しにくい。その原因はサイズ変化が小さい時、根本的に色帯で識別が行いにくく、変化が大きいときは大体識別できるが、変化が大きい時は色帯で識別する必要もなく、スリーブの外観の大きさで初期判断を行うことができる。しかし確実なサイズは色帯上方の刻印数字によらねば確認できない。このセカンドステップのサイズの確認は伝統的なスリーブと同様に、同色の金属表面上で速やかに表示位置を探し出しにくく、且つ環状体の工具の場合は回転させて刻印数字の位置を探し出さねばならず、識別の速度に影響が生じる。このためこの方式もサイズ識別時には問題を有している。図２は特許文献２の技術を示し、それはスリーブ１２、１３に環状色帯１２１、１３１が設けられ、メートル制のスリーブ１２の色帯１２１は同一色とされ、別にインチ制の色帯１３１が別の同一色とされてメートル制とインチ制の規格を区分している。そのうち環状色帯１２１、１３１の上方に別の同じ或いは異なる色の色体１２２、１３２が設けられてメートル制中の偶数、奇数サイズ或いはインチ制の８分、１６分サイズを識別できるものとされている。この識別方式は、規格（メートル制とインチ制）の識別上、前述の従来の技術と同じであるが、別に色体１２２、１３２によりメートル制の奇数、偶数サイズ或いはインチ制の８分、１６分サイズ規格を識別できるが、明らかに複雑であり、使用者にとっては、簡単な色帯変化による識別のほうが好ましく、過多の色帯による識別は却って混乱をもたらす。またどの使用者もが色帯の代表する意味を熟知しているとは限らず、このため実務上達成できない。さらに最終サイズ数字確認は金属表面の刻印数字によるため、細分されたメートル制の奇数、偶数或いはインチ制の８分、１６分の識別もまた余分であり、使用者が色帯上で正確にスリーブサイズを判断することができない。また図３は特許文献３に記載の技術は、その識別方式は前述のものと同じであるが、違いは環形浅溝が設けられず、スリーブ１４、１５に環状色帯１４１、１５１が突出する方式で設置されていることにあり、サイズ識別上、前述の技術と同じ欠点を発生する。
【０００３】
【特許文献１】台湾特許出願第７７２１０３７２号明細書
【特許文献２】台湾特許出願第７７２１０３７２Ａ０１号明細書
【特許文献３】台湾特許出願第７７２１０３７２Ａ０２号明細書
【考案の開示】
【考案が解決しようとする課題】
【０００４】
本考案の主要な目的は、一種の規格サイズを識別できる工具を提供することにあり、それは多色の印刷方式を利用し、メートル制及びインチ制サイズ規格の工具の金属表面に二種類の異なる色の第１識別色帯を印刷してメートル制及びインチ制の識別に供し、そのうち、各メートル制及びインチ制工具に別に識別ブロックを設け、並びに該識別ブロックの位置内に第１識別色帯と異なる色の第２識別色帯を印刷し、且つ第２識別色帯を具えた識別ブロック内にサイズ数字を表示している。これにより、本考案のサイズの識別は色による区分ではなく、第１識別色帯と異なる色により速やかに探し出せる第２識別色帯のある識別ブロックの位置と、識別ブロック位置に表示されるサイズ数字により快速識別の目的を達成できる。
【０００５】
本考案のもう一つの目的は、規格サイズを識別できる工具を提供することにあり、それは、メートル制及びインチ制工具の金属表面に識別ブロックが設けられ、並びにメートル制及びインチ制の工具の金属表面に識別ブロックが設けられ、並びにメートル制及びインチ制の識別ブロックの位置に異なる色の第１識別色帯が設けられてメートル制及びインチ制の規格の識別に供され、そのうち、各メートル制及びインチ制工具の識別ブロックの位置内に、第１識別ブロックと異なる色の第２識別ブロックが設けられてサイズ数字を表示するものとされる。これにより、本考案のサイズの識別は色による区分でなく、工具の金属の色と異なることにより速やかに第１識別色帯のある識別ブロックの位置を探し出すことができ、さらに識別ブロック位置の第１識別色帯と異なる色の第２識別色帯によりサイズ数字を表示し、これにより快速識別の目的を達成できる。
【０００６】
本考案のまた一つの目的は、規格サイズを識別できる工具を提供することにあり、そのうち、工具上の異なる色の第１識別色帯でメートル制及びインチ制が区別され、第１識別色帯と異なる第２識別色帯によりサイズ数字が表示されるほか、別に識別ブロックが設けられて、該識別ブロック内に第１識別ブロックの色と異なる第２識別色帯が印刷され、第２識別色帯の色により商標図形を表示し、商標を明らかに表示する目的を達成する。
【課題を解決するための手段】
【０００７】
請求項１の考案は、メートル制及びインチ制工具の金属表面に異なる色の第１識別色帯が印刷されてメートル制及びインチ制の規格の識別に供される規格サイズを識別できる工具において、該工具に別に識別ブロックが設けられ、該識別ブロックの位置内に第１識別色帯と異なる色の第２識別色帯が印刷され、且つ該第２識別色帯を具えた識別ブロック内にサイズ数字が表示され、第２識別色帯の第１識別色帯と異なる色により速やかに第２識別色帯がある識別ブロックの位置を探し出せ、更に識別ブロックの位置に表示されたサイズ数字により、速やかな識別を行なえることを特徴とする、規格サイズを識別できる工具としている。
請求項２の考案は、請求項１記載の規格サイズを識別できる工具において、識別ブロック内のサイズ数字が刻印方式で表示されたことを特徴とする、規格サイズを識別できる工具としている。
請求項３の考案は、請求項１記載の規格サイズを識別できる工具において、識別ブロック内のサイズ数字が第２識別色帯と異なる色により表示されたことを特徴とする、規格サイズを識別できる工具としている。
請求項４の考案は、請求項１記載の規格サイズを識別できる工具において、識別ブロック内のサイズ数字が透かしの方式で表示されたことを特徴とする、規格サイズを識別できる工具としている。
請求項５の考案は、メートル制及びインチ制工具の金属表面に識別ブロックが設けられ、識別ブロックの位置に異なる色の第１識別色帯が印刷され、メートル制及びインチ制の規格の識別に供される規格サイズを識別できる工具において、該工具の識別ブロックの位置内に第１識別色帯と異なる色の第２識別色帯によりサイズ数字が表示され、工具の色と異なる第１識別色帯の色により速やかに第１識別色帯がある識別ブロックの位置を探し出せ、更に識別ブロックの位置に表示されたサイズ数字により、速やかな識別を行なえることを特徴とする、規格サイズを識別できる工具としている。
請求項６の考案は、請求項５記載の規格サイズを識別できる工具において、識別ブロック内のサイズ数字が透かしの方式で金属工具自身の色を以て表示されることを特徴とする、規格サイズを識別できる工具としている。
【考案の効果】
【０００８】
本考案の識別色帯はサイズ表示の作用のためでなく、位置を探して識別するために設けられ、さらにその色の違いにより、サイズ数字を明らかに表示し、使用者が速やかに探し出し識別でき、大幅にその実用性と進歩性が高められている。
【考案を実施するための最良の形態】
【０００９】
図４、５に示されるように、本考案はスリーブに使用される時、メートル制スリーブ１６及びインチ制スリーブ１７に二種類の異なる色の環形の第１識別色帯１６１、１７１が設けられ、この二種類の異なる色の第１識別色帯１６１、１７１を利用し、メートル制スリーブ１６とインチ制スリーブ１７の規格が識別される。そのうち、各メートル制及びインチ制スリーブ１６、１７に別に識別ブロック１６２、１７２が設けられ、並びに識別ブロック１６２、１７２内に第１識別色帯１６１、１７１と異なる色の第２識別色帯１６３、１７３が印刷され、且つ第２識別色帯１６３、１７３を具えた識別ブロック１６２、１７２内に刻印の方式でサイズ数字が表示されている。第２識別色帯１６３、１７３と第１識別色帯１６１、１７１の色の違いにより速やかに第２識別色帯１６３、１７３を具えた識別ブロック１６２、１７２の位置を探すことができ、並びに識別ブロック１６２、１７２内に刻印されたサイズ数字によりサイズを認識でき、速やかな識別の目的を達成できる。
【００１０】
図６、７に示される実施例では、メートル制スリーブ１８とインチ制スリーブ１９に二種類の異なる色の環形の第１識別色帯１８１、１９１が印刷され、この二種類の異なる色の第１識別色帯１８１、１９１を利用し、メートル制スリーブ１８或いはインチ制スリーブ１９の規格を識別できる。そのうち、各メートル制及びインチ制スリーブ１８、１９に別に識別ブロック１８２、１９２が設けられ、並びに識別ブロック１８２、１９２内に第１識別色帯１８１、１９１の色と異なる色の第２識別色帯１８３、１９３が印刷され、且つ第２識別色帯１８３、１９３を具えた識別ブロック１８２、１９２内に貫通の方式で金属スリーブの色或いは第２識別色帯１８３、１９３と異なる色でサイズ数字が表示され、第２識別色帯１８３、１９３と第１識別色帯１８１、１９１の色の違いにより速やかに第２識別色帯１８３、１９３を具えた識別ブロック１８２、１９２の位置を探すことができ、並びに識別ブロック１８２、１９２内の第２識別色帯１８３、１９３のベ−ス作用により、サイズ数字が表示され、速やかに探し出し識別する目的が達成される。
【００１１】
図８、９に示される実施例では、スリーブ２０、２１に二種類の異なる色の環形の第１識別色帯２０１、２１１が印刷され、この二種類の異なる色の第１識別色帯２０１、２１１を利用し、メートル制スリーブ２０とインチ制スリーブ２１の規格が識別される。そのうち、各メートル制及びインチ制スリーブ２０、２１に別に識別ブロック２０２、２１２が設けられ、並びに該識別ブロック２０２、２１２内に第１識別色帯２０１、２１１の色と異なる第２識別色帯２０３、２１３によりサイズ数字が印刷され、識別ブロック２０２、２１２内の他の位置は透かしの方式により、ベースの金属本体の色が現出し、同様に速やかに識別ブロック２０２、２１２の位置を探し出し、並びに識別ブロック２０２、２１２内の第２識別色帯２０３、２１３が直接表示するサイズ数字により、速やかに探し出し識別する目的を達成する。
【００１２】
図１０に示されるのは、本考案の別の実施例であり、メートル制スリーブ２２とインチ制スリーブ２３の金属表面に識別ブロック２２１、２３１が設けられ、並びに識別ブロック２２１、２３１の位置に異なる色の第１識別色帯２２２、２３２が設けられ、メートル制及びインチ制の規格の識別に供される。そのうち、各メートル制及びインチ制スリーブ２２、２３の識別ブロック２２１、２３１の位置内に、第１識別色帯２２２、２３２と異なる色の第２識別色帯２２３、２３３により直接サイズ数字が表示されている。第１識別色帯２２２、２３２がその工具と異なる色を有するため、速やかに第１識別色帯２２２、２３２のある識別ブロック２２１、２３１の位置を探し出せ、さらに識別ブロック２２１、２３１の位置の、第１識別色帯２２２、２３２の色と異なる色の第２識別色帯２２３、２３３の表示するサイズ数字により、速やかに探し出し識別する目的を達成する。
【００１３】
このほか、図１１に示される実施例では、直接サイズ数字を表示する第２識別色帯２２３、２３３が工具の金属の色により表現され、第１識別色帯２２２、２３２の色と異なるものとされ、第１識別色帯２２２、２３２の工具の金属色と異なる色により速やかに第１識別色帯２２２、２３２のある識別ブロック２２１、２３１の位置を探し出せ、さらに識別ブロック２２１、２３１の位置により、第１識別色帯２２２、２３２の色と異なる第２識別色帯２２３、２３３が表示するサイズ数字により、速やかに探し出し識別する目的を達成する。
【００１４】
本考案は特に柱状のスリーブに使用され、識別色帯の色の違いにより速やかに工具を回して識別ブロックの位置を探し出すことができ、並びに識別ブロック内に表示されたサイズ数字によりサイズを認識でき、周知のスリーブのように回して検査する必要がなく、大幅に識別の速度を高めることができる。
【００１５】
図１２を参照されたい。本考案がスパナ類に使用される時、メートル制スパナ２４及びインチ制スパナ２５の平面位置に、異なる色の第１識別色帯２４１、２５１が印刷されて、メートル制スパナ２４及びインチ制スパナ２５が区分され、さらに識別ブロック２４２、２５２内に第１識別色帯２４１、２５１と異なる色の第２識別色帯２４３、２５３が印刷されて、第１識別色帯２４１、２５１と異なる第２識別色帯２４３、２５３の色により、速やかに識別ブロック２４２、２５２の位置を探し出せ、並びにはっきりとしたサイズ数字により、サイズを判読でき、速やかな識別が行なえる。
【００１６】
図１３の実施例によると、本考案はスパナ類に応用され、メートル制スパナ２６及びインチ制スパナ２７の金属表面に、識別ブロック２６１、２７１が設けられ、並びに識別ブロック２６１、２７１位置に、異なる色の第１識別色帯２６２、２７２が印刷され、メートル制とインチ制の規格の区分に供される。そのうち、各メートル制及びインチ制スパナ２６、２７の識別ブロック２６１、２７１の位置内に、第１識別色帯２６２、２７２と異なる色の第２識別色帯２６３、２７３により直接サイズ数字が表示されている。工具の金属色と異なる色の第１識別色帯２６２、２７２により第１識別色帯２６２、２７２がある識別ブロック２６１、２７１の位置を速やかに探しだすことができ、さらに識別ブロック２６１、２７１の位置内の、第１識別色帯２６２、２７２と異なる色の第２識別色帯２６３、２７３の表示するサイズ数字により、速やかな識別が行なえる。
【００１７】
図１４を参照されたい。図６のスリーブ１８、１９を例とすると、本考案の第２識別色帯１８３、１９３はサイズ数字を表示するほか、商標パターンを表示するのに使用され、サイズ数字の識別ブロック１８２、１９２のほかに、商標の識別ブロック１８４、１９４が設けられ、識別ブロック１８４、１９４内に第１識別色帯１８１、１９１と異なる第３識別色帯１８５、１９５が設けられ、商標パターンは第３識別色帯１８５、１９５にあって、第３識別色帯１８５、１９５と異なる色で表示される。
【図面の簡単な説明】
【００１８】
【図１】特許文献１記載の技術の表示図である。
【図２】特許文献２記載の技術の表示図である。
【図３】特許文献３記載の技術の表示図である。
【図４】本考案をスリーブに応用した時の実施例図（一）である。
【図５】図４のＡ、Ｂ部拡大図である。
【図６】本考案をスリーブに応用した時の実施例図（二）である。
【図７】図６のＣ、Ｄ部拡大図である。
【図８】本考案をスリーブに応用した時の実施例図（三）である。
【図９】図８のＥ、Ｆ部拡大図である。
【図１０】本考案をスリーブに応用した時の実施例図（四）である。
【図１１】本考案をスリーブに応用した時の実施例図（五）である。
【図１２】本考案をスパナに応用した時の実施例図（一）である。
【図１３】本考案をスパナに応用した時の実施例図（二）である。
【図１４】本考案をスリーブに応用した時の実施例図（六）である。
【符号の説明】
【００１９】
１０  スリーブ            １０１  環形浅溝          １０２  色帯
１１  スリーブ            １１１  環形浅溝          １１２  色帯
１２  スリーブ            １２１  色帯              １２２  色体
１３  スリーブ            １３１  色帯              １３２  色体
１４  スリーブ            １４１  色帯
１５  スリーブ            １４２  色帯
１６  スリーブ            １６１  第１識別色帯
１６２  識別ブロック      １６３  第２識別色帯
１７  スリーブ            １７１  第１識別色帯
１７２  識別ブロック      １７３  第２識別色帯
１８  スリーブ            １８１  第１識別色帯
１８２  識別ブロック      １８３  第２識別色帯
１８４  識別ブロック      １８５  第３識別色帯
１９  スリーブ            １９１  第１識別色帯
１９２  識別ブロック      １９３  第２識別色帯
１９４  識別ブロック      １９５  第３識別色帯
２０  スリーブ            ２０１  第１識別色帯
２０２  識別ブロック      ２０３  第２識別色帯
２１  スリーブ            ２１１  第１識別色帯
２１２  識別ブロック      ２１３  第２識別色帯
２２  スリーブ            ２２１  第１識別色帯
２２２  第１識別色帯      ２２３  第２識別色帯
２３  スリーブ            ２３１  第１識別色帯
２３２  第１識別色帯      ２３３  第２識別色帯
２４  スパナ              ２４１  第１識別色帯
２４２  識別ブロック      ２４３  第２識別色帯
２５  スパナ              ２５１  第１識別色帯
２５２  識別ブロック      ２５３  第２識別色帯
２６  スパナ              ２６１  識別ブロック
２６２  第１識別色帯      ２６３  第２識別色帯
２７  スパナ              ２７１  識別ブロック
２７２  第１識別色帯      ２７３  第２識別色帯
【図１】
0003104841.tif 000003
【図２】
0003104841.tif 000004
【図３】
0003104841.tif 000005
【図４】
0003104841.tif 000006
【図５】
0003104841.tif 000007
【図６】
0003104841.tif 000008
【図７】
0003104841.tif 000009
【図８】
0003104841.tif 000010
【図９】
0003104841.tif 000011
【図１０】
0003104841.tif 000012
【図１１】
0003104841.tif 000013
【図１２】
0003104841.tif 000014
【図１３】
0003104841.tif 000015
【図１４】
0003104841.tif 000016